(57)【要約】【課題】優れたリテーナー保持機能を有するクイックコネクタを提供する。【解決手段】リテーナー５の本体部６１の変形用隙間と対向する部分の外面に、断面正方形状の係合凸部７３を一体的に、かつ、本体部６１の軸方向他方側端から軸方向中央手前まで延びるように形成しておく。リテーナー保持部１１の内周面に、軸方向他方側端から膨出部５３の軸方向一方側端まで延びる断面正方形状の係合凹部９１を形成し、この係合凹部９１の断面形状をリテーナー５の係合凸部７３の断面形状とほぼ同一に形成しておく。係合凸部７３を、リテーナー５をリテーナー保持部１１に嵌め付けるときに、係合凹部９１内に挿入する。【選択図】　図５
2004044790.tif 000002
【特許請求の範囲】
【請求項１】
軸方向一方側に環状係合突部が設けられて挿入端部が構成されたパイプ体と接続されるクイックコネクタであって、
軸方向一方側にチューブ接続部を有し、軸方向他方側にリテーナー保持部を有する筒状のコネクタハウジングと、
前記パイプ体の前記挿入端部が挿入されたときに、前記環状係合突部とスナップ係合するパイプ体係合部分が形成された環状の又はほぼ環状の本体部を有して、前記リテーナー保持部内に嵌め付けられて保持されたリテーナーと、を備え、前記本体部の外面には、少なくとも軸方向他方側に、径方向外側に突出する係合凸部が一体的に形成され、
前記リテーナー保持部の内周面には、前記係合凸部が嵌め込まれた係合凹部が軸方向他方側端から軸方向一方側に延びるように形成されていて、
前記係合凸部と前記係合凹部とが周方向に係合するように構成されている、ことを特徴とするクイックコネクタ。
【請求項２】
前記本体部の前記係合凸部は断面正方形状又は長方形状に形成されている、ことを特徴とする請求項１記載のクイックコネクタ。
【請求項３】
前記本体部の前記係合凸部は、前記リテーナー保持部の前記係合凹部と径方向にも係合している、ことを特徴とする請求項１記載のクイックコネクタ。
【請求項４】
前記本体部の前記係合凸部は断面台形状に形成されている、ことを特徴とする請求項１記載のクイックコネクタ。
【請求項５】
前記本体部の前記係合凸部は断面Ｔ字状に形成されている、ことを特徴とする請求項１記載のクイックコネクタ。
【請求項６】
前記リテーナー保持部の前記係合凹部は、前記リテーナー保持部の周壁を径方向外側に膨出させて形成されている、ことを特徴とする請求項１、２、３、４又は５記載のクイックコネクタ。
【請求項７】
前記本体部の軸方向一方側端部には、複数の切欠状凹部が、軸方向一方側に延びる細い区分け片を介して周方向に並んで形成されていて、
前記リテーナー保持部の内周面の軸方向一方側端部には、それぞれの前記切欠状凹部に嵌り込んでこの切欠状凹部と周方向に係合する複数の回止突出部が形成されている、ことを特徴とする請求項１、２、３、４、５又は６記載のクイックコネクタ。
【発明の詳細な説明】
【０００１】
【発明の属する技術分野】
本発明は、例えば自動車のガソリン燃料配管の接続に用いられるクイックコネクタに関する。
【０００２】
【従来の技術】
ガソリン燃料配管などの流体配管の接続に用いられるコネクタとパイプ体との接続は、例えば特開平１１−２０１３５５号公報に記載されているように、パイプ体の外周面の軸方向一方側に環状係合突部を形成して挿入端部を構成しておき、この環状係合突部がコネクタとスナップ係合するようにパイプ体の挿入端部をコネクタに挿入嵌合してパイプ体とコネクタとを抜け止め状態とすることにより行われる。このように使用されるクイックコネクタは、軸方向一方側にチューブ接続部を有し、軸方向他方側にリテーナー保持部を有する筒状のコネクタハウジングと、パイプ体の環状係合突部とスナップ係合するパイプ体係合部分が形成された本体部を有して、リテーナー保持部内に嵌め付けられたリテーナーと、から構成されていて、パイプ体は、挿入端部の環状係合突部がこのリテーナーのパイプ体係合部分にスナップ係合するようにリテーナー内に挿入されてコネクタに嵌合接続されることとなる。
【０００３】
リテーナーの本体部は環状体又はほぼ環状体として形成され、リテーナーのリテーナー保持部への嵌付けは、例えば、リテーナー保持部に係合窓を形成するとともに、リテーナーの本体部に係合爪部を設けておき、この係合爪部を係合窓にスナップ係合させることにより行われが、特開平１１−２０１３５５号公報では、リテーナー保持部への取付け及びリテーナー保持部からの取外しを容易に行うことができるように、リテーナーの本体部を断面Ｃ形のほぼ環状体に形成して十分な弾性変形性を備えたものとしている。
【０００４】
このようなＣ形リテーナーや、本体部に軸方向ほぼ全長にわたってあるいは軸方向に長く又は軸方向に比較的長く変形用隙間が形成されているリテーナーを用いたリテーナー嵌付け構造では、本体部は、変形用隙間が形成されているために内側に変形しやすい。したがって、本体部は、外力が加わると、特に軸方向他方側に外力が加わると、容易に内側に変形し、係合爪部も係合窓から抜け出た状態となり、リテーナーはリテーナー保持部に対して回転することとなってしまう。あるいは、外力の方向によっては、または、外力が繰り返し加わると、リテーナーが、軸方向に対して傾く方向に回転し、リテーナー保持部から外れ落ちるといったおそれもある。この場合には、リテーナーをリテーナー保持部内に正常に嵌め付けてから、再度、パイプ体の接続作業を行う必要がある。したがって、必要に応じて、リテーナーがリテーナー保持部内で回転したり、リテーナーがリテーナー保持部から外れ落ちたりしないように、リテーナーとリテーナー保持部との間には回止手段あるいは保持手段が構成される。リテーナー回止手段あるいはリテーナー保持手段としては、リテーナーの本体部の軸方向一方側端部に切欠状凹部を形成するとともに、リテーナー保持部の内周面の軸方向一方側端部に、この切欠状凹部に嵌り込む回止突出部を設けるといったものや、特許第２８３７６６３号公報に記載されているように、リテーナーの軸方向一方側端部に径方向外側への突出部を形成するとともに、リテーナー保持部の内周面に、この突出部が嵌り込む凹部を設けるといったものが採用されている。
【０００５】
【発明が解決しようとする課題】
しかしながら、特に特開平１１−２０１３５５号公報のリテーナー嵌付け構造のように、リテーナーに操作アームなどを設けているため、リテーナーの軸方向他方側端部に外力が加わりやすい構成では、リテーナーの軸方向一方側端部に回止手段を設けただけでは、十分な回止機能を期待できない場合も少なくない。
【０００６】
そこで本発明は、優れたリテーナー保持機能を有するクイックコネクタを提供することを目的とする。
【０００７】
【課題を解決するための手段】
この目的を達成するための本発明のクイックコネクタは、軸方向一方側に環状係合突部が設けられて挿入端部が構成されたパイプ体と接続されるクイックコネクタであって、軸方向一方側にチューブ接続部を有し、軸方向他方側にリテーナー保持部を有する筒状のコネクタハウジングと、前記パイプ体の前記挿入端部が挿入されたときに、前記環状係合突部とスナップ係合するパイプ体係合部分が形成された環状の又はほぼ環状の本体部を有して、前記リテーナー保持部内に嵌め付けられて保持されたリテーナーと、を備え、前記本体部の外面には、少なくとも軸方向他方側に、径方向外側に突出する係合凸部が一体的に形成され、前記リテーナー保持部の内周面には、前記係合凸部が嵌め込まれた係合凹部が軸方向他方側端から軸方向一方側に延びるように形成されていて、前記係合凸部と前記係合凹部とが周方向に係合するように構成されているものである。リテーナーの軸方向他方側に外力が加わっても、本体部の軸方向他方側で係合凸部と係合凹部とが周方向に係合しているので、本体部の軸方向他方側自体がリテーナー保持部に対して強固に回止めされ、その結果、リテーナーのリテーナー保持部に対する回転は阻止される。リテーナーは本体部のみによって構成される場合もある。係合凸部は適当な長さ、軸方向に延びるように形成され、例えば、本体部の軸方向他方側端から軸方向中央まで、あるいは軸方向一方側端部の手前まで延びるように形成される。
【０００８】
本発明は、例えば、軸方向一方側端部にパイプ体係合部分が形成され、軸方向他方側端部の対称位置にそれぞれ係合爪部が設けられ、かつ、係合爪部間に変形用隙間が構成されている本体部を備えた、Ｃ形リテーナー等のリテーナーを、対向して係合窓が形成されているリテーナー保持部内に、係合爪部がそれぞれ、係合窓にスナップ係合するように嵌め付ける、リテーナー嵌付け構造を備えたクイックコネクタに適用される。ここでは、例えば本体部の係合爪部間の外面（本体部の変形用隙間と対向する側の外面）に係合凸部が設けられる。そして、例えばリテーナー保持部の係合窓間の内周面に係合凹部が形成される。リテーナーは、係合爪部から軸方向他方側に延びる操作アームを有する場合も多い。
【０００９】
リテーナーの係合凸部は、例えば断面正方形状又は長方形状のものとすることができ、リテーナー保持部の係合凹部も断面正方形状又は長方形状に形成することができる。ところで、特に、Ｃ形リテーナーのように変形用隙間を設けたリテーナーを用いるリテーナー嵌付け構造を採用する場合には、リテーナー保持部が大径に、すなわちリテーナーが大径になるにつれて、リテーナーは容易に大きく変形しやすくなるので、リテーナーの軸方向他方側に径方向内側に向う外力が作用すると、リテーナーは簡単に、軸方向に対して傾く方向に回転してリテーナー保持部から外れ落ちてしまう。リテーナーがリテーナー保持部から外れ落ちれば、パイプ体の接続作業は著しく煩雑となる。係合凸部と係合凹部との周方向の係合により、このようなリテーナーの外れ落ちは効果的に防止されるのであるが、係合凸部及び係合凹部が断面長方形状又は正方形状であると、リテーナーの軸心がずれやすく、外力の加わる方向によっては、リテーナーが簡単に外れ落ちる可能性がある。したがって、係合凸部と係合凹部とは径方向にも、あるいは軸直角方向にも係合していることが好ましい。係合凸部を断面台形状（径方向内側及び外側の２辺が平行で、かつ、径方向外側の辺が長い台形状）に形成し、係合凹を係合凸部に対応して、例えば断面台形状に形成することにより、係合凸部と係合凹部とを径方向に係合させることができる。断面台形状の係合構造を採用すれば、リテーナーをリテーナー保持部に嵌め付けにくくなってしまうといったことが防止される。また、係合凸部を断面Ｔ字状（径方向外側に横線が位置するＴ字形状）に形成し、係合凹部を係合凸部に対応して、例えば断面Ｔ字状に形成することによっても、係合凸部と係合凹部とを径方向に係合させることができる。断面Ｔ字状の係合構造を採用すれば、強固な径方向の係合構造を構成できる。
【００１０】
リテーナーの保持力を高めるためには、係合凸部を高く、そして係合凹部を深く形成する必要がある。しかしながら、リテーナー保持部の周壁は比較的薄肉であって、深い係合凹部を周壁の肉厚内に形成することができない場合も少なくない。したがって、係合凹部を、リテーナー保持部の周壁を径方向外側に膨出させて形成するのが好ましい。
【００１１】
また、リテーナーの保持力を高めるためには、リテーナーの本体部の軸方向全長又はほぼ全長にわたって回止手段を構成しておくことが好ましい。このように構成するためには、係合凹部をリテーナー保持部の全長又はほぼ全長にわたって形成するとともに、係合凸部をリテーナー又は本体部の軸方向全長又はほぼ全長にわたって形成しておくことが考えられる。しかしながら、例えば膨出部をリテーナー保持部の全長又はほぼ全長にわたって形成することにより係合凹部を構成すると、リテーナー保持部の外周側に他の機能構造を構成できなくなったり、例えば接続確認用のチェッカーなどを取り付けることができなくなってしまう。そこで、リテーナーの軸方向一方側に対する回止手段は、リテーナーの本体部の軸方向一方側端部に切欠状凹部を形成し、リテーナー保持部の内周面の軸方向一方側端部に、この切欠状凹部に嵌り込んで周方向に係合する回止突出部を設けることにより構成しておくのが得策である。この場合には、複数の切欠状凹部を、軸方向一方側に延びる細い区分け片を介して周方向に並んで形成し、それぞれの切欠状凹部に嵌り込んでこの切欠状凹部と周方向に係合する複数の回止突出部を、リテーナー保持部の内周面の軸方向一方側端部に形成しておくことが好ましい。このように構成することにより、リテーナーの軸方向一方側端部と回止突出部との係合個所が増加するので、切欠状凹部が回止突出部から簡単に外れてしまうことを防止できる。
【００１２】
【発明の実施の形態】
以下、本発明の実施の形態を図面を参照して説明する。
【００１３】
図１は本発明に係るクイックコネクタの分解斜視図、図２はクイックコネクタの組立図、図３はクイックコネクタの一部切欠組立図、図４はコネクタハウジングにリテーナーを嵌め付けた状態の軸方向に沿った平面方向の断面図、図５はコネクタハウジングにリテーナーを嵌め付けた状態の軸方向に沿った正面方向の断面図、図６はクイックコネクタの側面図、図７はクイックコネクタの径方向に沿った断面図である。
【００１４】
クイックコネクタ１は、自動車のガソリン燃料配管の接続用に使用されるものであり、筒状のコネクタハウジング３と、ほぼ環状のリテーナー５と、パイプ体の接続確認用のチェッカー７と、を備えて構成されている。
【００１５】
特に図１及び図４を参照して説明すると、コネクタハウジング３はガラス繊維強化ポリアミド（ＰＡ・ＧＦ）を素材として形成され、軸方向一方側の円筒状の樹脂チューブ接続部９と、軸方向他方側のほぼ円筒状のリテーナー保持部１１とから一体的に構成され、軸方向一方側端から軸方向他方側端に貫通する貫通孔１３を有している。樹脂チューブ接続部９は、外周面が軸方向他方側に向かって緩やかに拡径する断面直角三角形状の軸方向一方側部１５と、軸方向一方側部１５の軸方向他方側でほぼ単純な円筒状に延びている外周面に、断面四角形状の抜止環状突出部１７及び軸方向他方側に向かって拡径する断面直角三角形状の２本の抜止環状突出部１９、１９が、軸方向一方側から軸方向他方側に向かって順次、軸方向に間隔を有して形成された軸方向他方側部２１と、から構成され、外周又は外周面に樹脂チューブがきつく嵌め付けられて接続される。なお、接続相手側部材としてはゴムホースやＳＵＳ管も用いられる。軸方向他方側部２１の軸方向一方側端外周面２３（軸方向一方側部１５と抜止環状突出部１７との間）は小径にあるいは深い環状溝として形成されていて、この軸方向一方側端外周面２３には、樹脂チューブとの間を密封するシール用Ｏリングが嵌め付けられる。なお、軸方向他方側部２１の軸方向他方側端外周面２５（軸方向他方側の抜止環状突出部１９よりもやや軸方向他方側からリテーナー保持部１１までの間）は、軸方向一方側端外周面２３よりもさらに小径にあるいは深く形成されている。
【００１６】
特に図４を参照して説明すると、樹脂チューブ接続部９の内周面は、軸方向一方側の大径部２７と、軸方向他方側の小径部２９と、から形成されていて、大径部２７の軸方向他方側にはカラー３１を介して軸方向に並んで一対のＯリング３３、３３が嵌め付けられ、大径部２７の軸方向一方側には樹脂製ブッシュ３５が嵌め付けられている。樹脂製ブッシュ３５は、軸方向一方側端部に外側へ多少突出する環状係合部３７を一体的に有し、外周面の軸方向一方側端寄りに低い環状突出部３９を備え、内径は小径部２９の内径とほぼ同一に形成されていて、環状突出部３９が、大径部２７の軸方向一方側端寄りに形成されている浅い環状凹部４１内に嵌り込み、環状係合部３７が樹脂チューブ接続部９の軸方向一方側端部と係合するように、大径部２７に嵌め付けられている。Ｏリング３３、３３は、小径部２９と大径部２７との間の段差面と樹脂製ブッシュ３５とに挟まれて軸方向に位置決めされている。
【００１７】
特に図１、図４及び図６を参照して説明すると、樹脂チューブ接続部９よりも大径に形成されたほぼ円筒状のリテーナー保持部１１には、径方向対称位置に対向して同一構造の係合窓４３、４３が形成され、係合窓４３、４３の間のそれぞれの外周面には対向して、あるいは径方向対称位置に同一形状の平面部分４５、４５が設けられていて、平面部分４５はリテーナー保持部１１の軸方向全長にわたって形成され、かつ、リテーナー保持部１１の外径のほぼ３分の１の幅（周方向の長さ）を有している。それぞれの平面部分４５の軸方向一方側には、軸方向に僅かの間隔を設けて２本の同一形状の突条４７、４７が平行して周方向に延びるように形成されていて、それぞれの突条４７は平面部分４５の全幅にわたって（周方向一方側端から他方側端まで）延びている。軸方向一方側の突条４７は、係合窓４３、４３の軸方向一方側端４９、４９よりも軸方向他方側に位置しているので、突条４７、４７間に形成された嵌込溝５１は、係合窓４３、４３の軸方向一方側端４９、４９よりも多少軸方向他方側に形成されている。
【００１８】
それぞれの平面部分４５の軸方向他方側には、幅方向中間に互いに同一形状の膨出部５３が形成されていて、この膨出部５３は、突条４７と同一の突出高さを有して、平面部分４５の軸方向他方側端から軸方向他方側の突条４７に接続されるまで軸方向に延びている。なお、リテーナー保持部１１の内側の軸方向一方側端には、狭い幅を有して径方向内側に広がる環状端面５５が形成されているが、それぞれの係合窓４３の軸方向一方側端（端面）４９はこの環状端面５５と同一平面状に設けられていて、係合窓４３の軸方向一方側端４９と環状端面５５との間には段部又は段差は形成されていない。
【００１９】
特に図１及び図４を参照して説明すると、リテーナー保持部１１内にはＰＡ製のリテーナー５が嵌め付けられていて、このリテーナー５は比較的柔軟であり、弾性変形可能なように形成されている。リテーナー５は、軸方向他方側端部の径方向対称位置に、径方向外側に突出した一対の同一形状の係合爪部５７、５７が形成されている、周方向両端部５９、５９間に比較的大きな変形用隙間が設けられた断面Ｃ形（ほぼ環状形）の本体部６１を有し、この本体部６１の内面は、変形用隙間と対向する部分を除いて軸方向一方側に向かって縮径する状態に形成されていて、本体部６１の軸方向一方側端部６３は、変形用隙間と対向する部分を除いてパイプ体（図１０の符合６５参照）とほぼ同じ内径状態に形成され、環状係合突部（図１０の符合６７参照）よりも小さい内径状態に形成されている。本体部６１の変形用隙間と対向する部分の内面はほぼ円筒内面状態に形成され、かつ、外面もほぼ円筒外面状態に形成されていて、本体部６１の変形用隙間と対向する部分の軸方向一方側には、２つの同一形状の切欠状凹部６９、６９が、軸方向一方側に延びる細い区分け片７１を介して周方向又は幅方向に並んで形成されている。また、本体部６１の変形用隙間と対向する部分の外面には、周方向又は幅方向中間に断面正方形状（ほぼ正方形）の係合凸部７３が一体的に形成されていて、この係合凸部７３は軸方向他方側端から軸方向中央手前まで延びている。
【００２０】
リテーナー５の本体部６１の軸方向他方側端部には、係合爪部５７、５７と対応した位置から軸方向他方側に向かって径方向外側に傾斜して延びる一対の操作アーム７５、７５が一体的に設けられていて、それぞれの操作アーム７５の軸方向他方側端部には径方向外側に突出した操作端部７７が形成されている。本体部６１の軸方向一方側端部６３には、周方向に延びる係合スリット７９、７９が対向して形成されていて、このような構成のリテーナー５は、係合爪部５７が、リテーナー保持部１１の係合窓４３内に入り込んで係合窓４３の軸方向他方側端８１と係合状態あるいは係合可能状態となり、操作端部７７、７７が、リテーナー保持部１１の軸方向他方側端部に係合窓４３、４３と対応して形成された一対の収容凹部８３、８３に嵌まり込んで係合状態となるように、軸方向他方側端開口からリテーナー保持部１１内に押し込まれて嵌め付けられている。リテーナー保持部１１の軸方向他方側端部に収容凹部８３を形成し、この収容凹部８３内に操作アーム７５の操作端部７７を収めることにより、操作端部７７、したがってリテーナー５に外力が加わりにくい構造となっている。操作アーム７５、７５から係合スリット７９、７９まで延びる、リテーナー５の対向している断面円弧状の内面８５、８５はそれぞれ、軸方向一方側に向かって中心又は中心軸方向にほぼテーパ状に傾斜している。リテーナー５のこのテーパ状の内面８５、８５はそれぞれ、操作アーム７５のテーパ状の内面８７と本体部６１のテーパ状の内面８９とから形成され、本体部６１の対向しているテーパ状の内面８９は操作アーム７５のテーパ状の内面８７よりも若干緩やかに傾斜していて、パイプ体６５を操作アーム７５、７５の操作端部７７、７７側からリテーナー５の本体部６１内に挿入すると、パイプ体６５の環状係合突部６７が本体部６１の対向しているテーパ状の内面８９、８９の軸方向他方側端に当接するように構成されている。すなわち、パイプ体６５の環状係合突部６７は、リテーナー５のテーパ状の内面８５、８５と、操作アーム７５及び本体部６１の境界位置で当接する。
【００２１】
特に図４、図５、図６及び図７を参照して説明すると、リテーナー保持部１１の内周面には、それぞれの膨出部５３位置で、この膨出部５３に沿って、軸方向他方側端から膨出部５３の軸方向一方側端まで延びる断面正方形状（ほぼ正方形）の係合凹部９１が形成され、この係合凹部９１の断面形状は、例えば、軸方向他方側端部を除いて、リテーナーの係合凸部７３の断面形状とほぼ同一に形成されていて、係合凸部７３は、リテーナー５をリテーナー保持部１１に嵌め付けるときに、係合凹部９１内又は係合凹部９１の軸方向一方側内に挿入されて嵌め込まれ、この係合凹部９１と周方向に係合している。また、リテーナー保持部１１の内周面の軸方向一方側端部には、径方向内側に薄く突出する、同一形状の２つの回止突出部９３、９３が設けられ、この回止突出部９３はリテーナー５の切欠状凹部６９とほぼ同一の形状に形成されていて、それぞれの回止突出部９３は、リテーナー５をリテーナー保持部１１に嵌め付けるときに、それぞれの切欠状凹部６９に嵌め込まれた状態となり、この切欠状凹部６９と周方向に係合している。なお、リテーナー５を図１に示す状態から１８０度回転させた状態でもリテーナー保持部１１内に同様に嵌め付けることができるように、回止突出部９３、９３は径方向対称位置に形成されている。なお、図示されたものでは、係合凹部（例えば９１）の断面形状は、係合凸部（例えば７３）と同一に形成されているが、必ずしも同一断面形状とする必要はなく、リテーナー（例えば５）の周方向、あるいは周方向かつ径方向の移動を規制できるようなものであればよい。
【００２２】
特に図１、図２及び図６を参照して説明すると、コネクタハウジング３の外周又は外周面にはポリアセタール（ＰＯＭ）製のチェッカー７が取り付けられていて、このチェッカー７は比較的柔軟であり、弾性変形可能なように形成されている。チェッカー７は、コネクタハウジング３の外周面とほぼ同一径の円弧状に湾曲する薄肉のチェッカー本体９５を有し、このチェッカー本体９５の外側部又は外周部の幅方向中央には、内周面の一個所（チェッカー本体９５と反対側）に平坦な指掛け部９７（直線状部）が形成された引抜リング９９が一体的に形成されている。チェッカー本体９５の内面又は内周面には、幅方向中央にコネクタハウジング３の平面部分４５の幅とほぼ等しい長さの平坦部分（直線状部分）１０１が形成され、チェッカー本体９５の幅方向両端にはそれぞれ、幅方向又は径方向内側に突出する内向き係合部１０３、１０３が一体的に設けられている。それぞれの内向き係合部１０３は、チェッカー本体９５よりもやや厚肉に形成された、チェッカー本体９５の両端に一体的に接続されている幅方向又は径方向外側の基部１０５と、径方向内側に向かって漸次薄肉となるように厚さ方向又は軸方向両面が対称に緩く傾斜し、幅方向又は径方向内端が平坦部分１０１の延びる方向と直交する方向に延びている径方向内側の押出し部１０７と、から一体的に構成されていて、基部１０５の付け根位置（チェッカー本体９５との境界位置）の径方向内側には、径方向内側に向かって引抜方向（平坦部分１０１側：図９の矢印の示す方向）に多少傾斜する（図１及び図６上、内側に向かって上方に傾斜する）、抜止部分である短い抜止係合面１０９が形成されている（図８参照：図８はチェッカー７の内向き係合部１０３個所の拡大図）。それぞれの内向き係合部１０３には、抜止係合面１０９の径方向内端から押出し部１０７の径方向内端にかけて、取付方向（図１の垂直矢印参照）に向かって径方向内側に傾斜する保持面１１１が形成されていて、保持面１１１の幅方向又は径方向外側部分は基部１０５によって構成され、幅方向又は径方向内側部分は押出し部１０７によって構成されている。
【００２３】
このような構成のチェッカー７は、平坦部分１０１個所がコネクタハウジング３の平面部分４５に設けられている突条４７、４７間の嵌込溝５１内に嵌り込んで平面部分４５に接触し、それぞれの内向き係合部１０３が係合窓４３内に入り込んで、抜止係合面１０９（ここでは抜止係合面１０９の径方向内端部又は径方向内端）が係合窓４３の周方向一方側端１１３と係合するように、コネクタハウジング３の外周面に沿って（あるいはコネクタハウジング３の外周面を抱き込んで）かつ全体的に接触して取り付けられていて、引抜リング９９を引抜方向（平面部分４５から垂直に外側に向かう方向）に引っ張っても、抜止係合面１０９と係合窓４３の周方向一方側端１１３との係合により引き抜かれないように構成されている。チェッカー７の取付けは、内向き係合部１０３、１０３を係合窓４３に向かってコネクタハウジング３の外周面上でスライドさせることにより行われる。内向き係合部１０３、１０３がコネクタハウジング３の外周面上をスライドするにつれて、チェッカー本体９５は開く方向に弾性変形し、内向き係合部１０３は係合窓４３に達すると、チェッカー本体９５の弾性復帰力により係合窓４３内に入り込み、その結果、抜止係合面１０９が係合窓４３の周方向一方側端１１３とスナップ係合することとなる。特に図３及び図６を参照すると、内向き係合部１０３の径方向内端は係合窓４３を通過してリテーナー５の係合スリット７９内に入り込んでいて、内向き係合部１０３、１０３の径方向内端間の間隔はパイプ体６５の外径とほぼ等しくなっている。また、突条４７、４７間の嵌込溝５１の幅はチェッカー本体９５の平坦部分１０１箇所の厚みとほぼ同一に形成されているので、例えば引抜リング９９を軸方向に傾けて引っ張ってもチェッカー７が傾くことはない。なお、チェッカー７は、どちらの平面部分４５側からでもコネクタハウジング３に同様に取り付けることができる。また、チェッカー７は、軸方向のどちら側の面を軸方向一方側に向けてもコネクタハウジング３に同様に取り付けることができるように構成されている。
【００２４】
そして、特に図１及び図６を参照して説明すると、引抜リング９９の付け根付近には外側から切込み１１５が形成されていて、この切込み１１５によりチェッカー７を無理に引っ張ったときに引抜リング９９が切断されるように構成されていて、パイプ体６５が半嵌合状態のときに強い力で引っ張られてチェッカー７が引き抜かれてしまうといったことが防止されている。さらに、特に図２及び図６を参照して説明すると、チェッカー本体９５の内面には、幅方向両側に凹部１１７、１１７が形成されていて、コネクタハウジング３の外周面に形成された凸条記号１１９等がこの凹部１１７内に収まるように構成されているので、チェッカー７がコネクタハウジング３の外周面から浮き上がってしまうことが防止されている。
【００２５】
図９はクイックコネクタ１にパイプ体６５を挿入して接続した状態を示す径方向に沿った断面図、図１０はクイックコネクタ１にパイプ体６５を挿入して接続してからチェッカー７を引き抜いた状態を示す軸方向に沿った断面図である。
【００２６】
クイックコネクタ１に、リテーナー保持部１１の軸方向他方側端開口から挿入されて、より具体的には、操作アーム７５、７５の操作端部７７、７７側からリテーナー５の本体部６１内に挿入されて、嵌め付けられた相手方のパイプ体６５は例えば金属製であり、軸方向一方側の外周面に環状係合突部６７が設けられることにより構成された挿入端部１２１を有していて、環状係合突部６７がリテーナー５の本体部６１を押し広げて進行し、係合スリット７９、７９に嵌り込んでスナップ係合するまでコネクタ１あるいはコネクタハウジング３に押し込まれている。パイプ体６５は、環状係合突部６７がリテーナー５の本体部６１の係合スリット７９、７９に嵌り込んでスナップ係合することにより、コネクタ１に対して抜止めされ、また挿入止めされる。すなわち、軸方向に位置決めされる。パイプ体６５の軸方向一方側端は、樹脂チューブ接続部９内に設けられた一対のＯリング３３、３３を越えて樹脂チューブ接続部９に嵌め付けられた樹脂製ブッシュ３５内に達し、パイプ体６５とコネクタ１との間はこのＯリング３３、３３により密封されている。なお、リテーナー５は多少軸方向にガタが生じる状態でリテーナー保持部１１内に嵌め付けられるのが普通であるが、少なくともパイプ体６５を押し込んだときには、本体部６１の軸方向一方側端が環状端面５５に接近し、リテーナー５の係合凸部７３が係合凹部９１の軸方向一方側端に接近する。そして、操作端部７７が収容凹部８３に当接した状態となる。また、樹脂チューブ接続部９の小径部２９及び樹脂製ブッシュ３５の内径はパイプ体６５の外径とほぼ等しいように設定されている。
【００２７】
パイプ体６５の挿入端部１２１がリテーナー５の本体部６１内に挿入され、パイプ体６５の環状係合突部６７が係合スリット７９、７９の軸方向他方側端位置に達すると、リテーナー５の本体部６１が環状係合突部６７によって押し広げられた結果、係合スリット７９、７９を通過してリテーナー５の本体部６１内側に突出する状態となっているチェッカー７の内向き係合部１０３、１０３の径方向内端部分又は押出し部１０７、１０７と環状係合突部６７は衝突する。パイプ体６５の挿入端部１２１がさらに挿入されると、環状係合突部６７は内向き係合部１０３又は押出し部１０７を押し退けて係合スリット７９と一致する位置まで進行する。環状係合突部６７が衝突した内向き係合部１０３の径方向内端部分又は押出し部１０７の軸方向他方側面は、径方向内側に向かって軸方向一方側に僅かではあるが傾斜しているので、内向き係合部１０３は、環状係合突部６７との衝突により、径方向外側にスムーズに案内され、変形移動する。環状係合突部６７が係合スリット７９、７９と一致する位置まで進行すると、押し広げられていたリテーナー５の本体部６１の軸方向一方側端部６３が弾性復帰して縮径し、環状径合突部６７が係合スリット７９内に入り込んで係合することとなるが、チェッカー７の内向き係合部１０３は、環状係合突部６７あるいは本体部６１の係合スリット７９周辺部と当接して径方向外側に変形移動した状態に維持される。この状態では、内向き係合部１０３、１０３の抜止係合面１０９、１０９と、係合窓４３、４３の周方向一方側端１１３、１１３との係合状態は解除されているが、内向き係合部１０３、１０３の保持面１１１、１１１が係合窓４３、４３の周方向一方側端部１１３、１１３に押し付けられている。したがって、チェッカー７が脱落してしまうといったことはないが、保持面１１１は径方向内側に緩く傾斜するテーパ状に形成されているので、引抜リング９９を引抜方向（図９の矢印参照）に引っ張ると、チェッカー７をコネクタハウジング３から容易に引き抜くことができる。このチェッカー７の引抜きによって、環状係合突部６７がリテーナー５の係合スリット７９に係合し、パイプ体６５が正常にコネクタ１に接続されたことが確認できる。
【００２８】
パイプ体６５は、収容凹部８３、８３内に収容されている操作アーム７５、７５の操作端部７７、７７を外側から押圧して操作アーム７５、７５の径方向の間隔、したがって係合爪部５７、５７の径方向の間隔を狭め、係合爪部５７、５７が係合窓４３、４３から抜け出た状態として、リテーナー５をコネクタハウジング３から相対的に引き出すと、このリテーナー５とともにコネクタ１又はコネクタハウジング３から抜き出される。
【００２９】
図１１は別の構成のクイックコネクタの分解斜視図、図１２は別の構成のクイックコネクタの側面図、図１３は別の構成のクイックコネクタの軸方向に沿った正面方向の断面図である。
【００３０】
別の構成のクイックコネクタ１２３は、クイックコネクタ１の係合凹部９１と係合凸部７３の形状を変形したものであるので、概略的には、クイックコネクタ１と同一構成の部分は同一符号を付して説明を省略する。リテーナー１２５の本体部６１の変形用隙間と対向する部分の外面には、周方向又は幅方向中間に断面台形状の係合凸部１２７が一体的に形成されていて、この係合凸部１２７は軸方向他方側端から軸方向中央手前まで延びている。コネクタハウジング１２９のリテーナー保持部１３１に形成されている平面部分４５、４５のそれぞれの軸方向他方側には、幅方向中間に膨出部１３３、１３３が形成されていて、この膨出部１３３は、突条４７と同一の突出高さを有して、平面部分４５の軸方向他方側端から軸方向他方側の突条４７に接続されるまで軸方向に延びている。リテーナー保持部１３１の内周面には、それぞれの膨出部１３３位置で、この膨出部１３３に沿って、軸方向他方側端から膨出部１３３の軸方向一方側端まで延びる、例えば軸方向他方側端を除いて断面台形状の係合凹部１３５が形成され、この係合凹部１３５の断面形状はリテーナー１２５の係合凸部１２７の断面形状と、例えば、軸方向他方側端部を除いて、ほぼ同一に形成されていて、係合凸部１２７は、リテーナー１２５をリテーナー保持部１３１に嵌め付けるときに、係合凹部１３５内又は係合凹部１３５の軸方向一方側内に挿入されて嵌め込まれ、この係合凹部１３５と径方向及び周方向に係合している。
【００３１】
図１４は他の構成のクイックコネクタの分解斜視図、図１５は他の構成のクイックコネクタの側面図、図１６は他の構成のクイックコネクタの軸方向に沿った正面方向の断面図である。
【００３２】
他の構成のクイックコネクタ１３７は、クイックコネクタ１の係合凹部９１と係合凸部７３の形状を変形したものであるので、概略的には、クイックコネクタ１と同一構成の部分は同一符号を付して説明を省略する。リテーナー１３９の本体部６１の変形用隙間と対向する部分の外面には、周方向又は幅方向中間に断面Ｔ字状の係合凸部１４１が一体的に形成されていて、この係合凸部１４１は軸方向他方側端から軸方向中央手前まで延びている。コネクタハウジング１４３のリテーナー保持部１４５に形成されている平面部分４５、４５のそれぞれの軸方向他方側には、幅方向中間に膨出部１４７、１４７が形成されていて、この膨出部１４７は、突条４７と同一の突出高さを有して、平面部分４５の軸方向他方側端から軸方向他方側の突条４７に接続されるまで軸方向に延びている。リテーナー保持部１４５の内周面には、それぞれの膨出部１４７位置で、この膨出部１４７に沿って、軸方向他方側端から膨出部１４７の軸方向一方側端まで延びる断面Ｔ字状の係合凹部１４９が形成され、この係合凹部１４９の断面形状はリテーナー１３９の係合凸部１４１の断面形状と、例えば、軸方向他方側端部を除いて、ほぼ同一に形成されていて、係合凸部１４１は、リテーナー１３９をリテーナー保持部１４５に嵌め付けるときに、係合凹部１４９内又は係合凹部１４９の軸方向一方側内に挿入されて嵌め込まれ、この係合凹部１４９と径方向及び周方向に係合している。
【００３３】
【発明の効果】
以上説明したように、本発明のクイックコネクタは、コネクタハウジングのリテーナー保持部とリテーナーとが確実な係合手段によって係合しているので、リテーナーが回転したり、脱落したりすることを効果的に防止できる。
【図面の簡単な説明】
【図１】本発明に係るクイックコネクタの分解斜視図である。
【図２】クイックコネクタの組立図である。
【図３】クイックコネクタの一部切欠組立図である。
【図４】コネクタハウジングにリテーナーを嵌め付けた状態の軸方向に沿った平面方向の断面図である。
【図５】コネクタハウジングにリテーナーを嵌め付けた状態の軸方向に沿った正面方向の断面図である
【図６】クイックコネクタの側面図である。
【図７】クイックコネクタの径方向に沿った断面図である。
【図８】チェッカーの内向き係合部個所の拡大図である。
【図９】クイックコネクタにパイプ体を挿入して接続した状態を示す径方向に沿った断面図である。
【図１０】クイックコネクタにパイプ体を挿入して接続してからチェッカーを引抜いた状態を示す軸方向に沿った断面図である。
【図１１】別の構成のクイックコネクタの分解斜視図である。
【図１２】別の構成のクイックコネクタの側面図である。
【図１３】別の構成のクイックコネクタの軸方向に沿った正面方向の断面図である。
【図１４】他の構成のクイックコネクタの分解斜視図である。
【図１５】他の構成のクイックコネクタの側面図である。
【図１６】他の構成のクイックコネクタの軸方向に沿った正面方向の断面図である。
【符号の説明】
１、１２３、１３７　　　　　　　　　クイックコネクタ
３、１２９、１４３　　　　　　　　　コネクタハウジング
５、１２５、１３９　　　　　　　　　リテーナー
９　　　　　　　　　　　　　　　　　樹脂チューブ接続部
１１、１３１、１４５　　　　　　　　リテーナ保持部
７３、１２７、１４１　　　　　　　　係合凸部
９１、１３５、１４９　　　　　　　　係合凹部
６１　　　　　　　　　　　　　　　　本体部
６５　　　　　　　　　　　　　　　　パイプ体
６７　　　　　　　　　　　　　　　　環条係合突部
７９　　　　　　　　　　　　　　　　係合スリット（パイプ体係合部分）
【図１】
2004044790.tif 000003
【図２】
2004044790.tif 000004
【図３】
2004044790.tif 000005
【図４】
2004044790.tif 000006
【図５】
2004044790.tif 000007
【図６】
2004044790.tif 000008
【図７】
2004044790.tif 000009
【図８】
2004044790.tif 000010
【図９】
2004044790.tif 000011
【図１０】
2004044790.tif 000012
【図１１】
2004044790.tif 000013
【図１２】
2004044790.tif 000014
【図１３】
2004044790.tif 000015
【図１４】
2004044790.tif 000016
【図１５】
2004044790.tif 000017
【図１６】
2004044790.tif 000018